(57)【要約】【課題】ユーザからの画像再生停止の指示を受けた際に、不自然な絵を表示することがない画像再生装置を提供する。【解決手段】入力されたデジタル映像信号を２−２又は３−２プルダウンにより再生処理を行う手段と、再生映像信号を出力する手段と、ユーザの画像再生の操作指示を受ける手段とを備える画像再生装置において、プルダウンによる再生処理時にＩＰ変換の処理を行う手段と、再生映像信号がないときに代替信号となるミュート映像信号を作成する画像ミュート手段とを備え、ユーザからの画像再生停止の指示を受けた際に、出力する再生映像信号が３枚連続して同一の絵を出力するタイミングの２枚目である時、３枚連続の同一の絵を再生映像信号として出力し、次の絵としてミュート映像信号を出力する。フロント映像信号処理部１１と、変換部１２と、ディスプレイ駆動部１３とを備える。【選択図】図１
2009118167.tif 000002
【特許請求の範囲】
【請求項１】
入力されたデジタル映像信号を２−２又は３−２プルダウンにより再生処理を行う手段と、再生映像信号を出力する手段と、ユーザの画像再生の操作指示を受ける手段とを備える画像再生装置において、
前記プルダウンによる再生処理時にＩＰ変換の処理を行う手段と、再生映像信号がないときに代替信号となるミュート映像信号を作成する画像ミュート手段とを備え、前記ユーザからの画像再生停止の指示を受けた際に、出力する再生映像信号が３枚連続して同一の絵を出力するタイミングの２枚目である時、前記３枚連続の同一の絵を再生映像信号として出力し、次の絵としてミュート映像信号を出力することを特徴とする画像再生装置。
【請求項２】
入力されるデジタル映像信号からインタレース信号を生成するフロント映像信号処理部と、インタレース信号をプログレッシブ信号に変換し、プルダウンによる再生処理をＩＰ変換で処理する変換部と、プログレッシブ信号に対してディスプレイに適した処理を行い、再生映像信号を出力するディスプレイ駆動部とを備える請求項１記載の画像再生装置。
【発明の詳細な説明】
【技術分野】
【０００１】
本発明は、画像再生装置に関し、特に入力されたデジタル映像信号を２−２又は３−２プルダウンにより再生処理を行う、例えばＤＶＤプレイヤーなどの画像再生装置に関する。
【背景技術】
【０００２】
近年のデジタルＡＶ機器普及に伴う信号処理技術の向上により、本来存在しない画像を予測して補間し、より綺麗に滑らかに見せることが可能となっている。通常、アニメや映画の原画は１秒あたり２４枚の原画から構成されているため、プレイヤーなどで再生すると、１秒あたり６０枚の絵を出す必要があり、２−２または３−２プルダウンと言われる手法で再生処理を行う（特許文献１参照）。
【特許文献１】特開２００７−１０４６５２号公報
【発明の開示】
【発明が解決しようとする課題】
【０００３】
また、ＩＰ変換を適用することも可能である。しかし、２−２または３−２プルダウンにおいてＩＰ変換の処理を行っている場合、再生機側で「停止」などの処理が入ってしまうと、本来連続するはずの絵が、途中で黒画面に置き換わることがある。
その場合、表示側においては本来同一と思われる絵に対して黒い絵が入力されてしまうため、信号処理的に失敗して不自然な絵が作られてしまうことがある。
【０００４】
本発明は、ユーザからの画像再生停止の指示を受けた際に、不自然な絵を表示することがない画像再生承知を提供することを目的とする。
【課題を解決するための手段】
【０００５】
本発明は、入力されたデジタル映像信号を２−２又は３−２プルダウンにより再生処理を行う手段と、再生映像信号を出力する手段と、ユーザの画像再生の操作指示を受ける手段とを備える画像再生装置において、前記プルダウンによる再生処理時にＩＰ変換の処理を行う手段と、再生映像信号がないときに代替信号となるミュート映像信号を作成する画像ミュート手段とを備え、前記ユーザからの画像再生停止の指示を受けた際に、出力する再生映像信号が３枚連続して同一の絵を出力するタイミングの２枚目である時、前記３枚連続の同一の絵を再生映像信号として出力し、次の絵としてミュート映像信号を出力する画像再生装置である。
【０００６】
また、本発明は、入力されるデジタル映像信号からインタレース信号を生成するフロント映像信号処理部と、インタレース信号をプログレッシブ信号に変換し、プルダウンによる再生処理をＩＰ変換で処理する変換部と、プログレッシブ信号に対してディスプレイに適した処理を行い、再生映像信号を出力するディスプレイ駆動部とを備え画像再生装置である。
【発明の効果】
【０００７】
本発明によれば、２−２または３−２プルダウン中は、停止ボタンなどを押された場合でも、組になっている絵の関係を保つことにより、３枚連続して同一の絵を出すタイミングの中で、２枚目の時に停止ボタンを押されても、その３枚はきちんと再生を行い、その次の絵から黒い絵（Ｍｕｔｅ）を出すこととなり、Ｍｕｔｅ映像が混じってしまうことで、映像表示機器側でのプルダウン画像入力時の処理がおかしくなることを抑制した画像処理装置を提供することができる。
【発明を実施するための最良の形態】
【０００８】
本発明を実施するための最良の形態を説明する。
本発明の画像処理装置の実施例について、図面を用いて説明する。
【０００９】
実施例を説明する。本実施例の画像再生装置１は、図１に示すように、フロント映像信号処理部１１、ＩＰ変換部１２、ディスプレイ駆動部１３、ディスプレイ１４を備えている。ディスプレイ１４は、別体とすることも可能である。
【００１０】
フロント映像信号処理部１１は、入力されるデジタル映像信号からインタレース信号を生成する。ＩＰ変換部１２は、インタレース信号をプログレッシブ信号に変換し、プルダウンによる再生処理をＩＰ変換で処理するとともに、再生映像信号がないときに代替信号となるミュート映像信号を作成する。ディスプレイ駆動部１３は、プログレッシブ信号に対してディスプレイ１４に適した処理を行い、ディスプレイに適した再生映像信号を出力する。また、ディスプレイ駆動部１３は、ユーザの画像再生の操作指示、例えば画像再生操作、停止操作を受け、その指示内容に沿った処理を行い、そして、ユーザからの画像再生停止の指示を受けた際に、Ｍｕｔｅのタイミングを調整し、出力する再生映像信号が３枚連続して同一の絵を出力するタイミングの２枚目である時、３枚連続の同一の絵を再生映像信号として出力し、次の絵としてＩＰ変換部１２からのミュート映像信号を出力する。ディスプレイ１４は、ディスプレイ駆動部１３からの出力される再生映像信号に基づいて画像を表示する。ユーザからの画像再生停止の指示を受けた際に、出力する再生映像信号が３枚連続して同一の絵を出力するタイミングの２枚目である時、ディスプレイ１４は、３枚連続の同一の絵からなる再生映像信号を基に画像表示を行い、次の絵としてミュート映像信号を基に黒い絵（Ｍｕｔｅ）を表示する。
なお、Ｍｕｔｅのタイミング調整として、バッファで遅延させ、切捨て、切り上げなどの処理で行うことも可能である。
【００１１】
以上説明したように、本実施例の画像再生装置は、２−２または３−２プルダウン中は、停止ボタンなどを押された場合でも、組になっている絵の関係を保つ。３枚連続して同一の絵を出すタイミングの中で、２枚目の時に停止ボタンを押されても、その３枚はきちんと再生を行い、その次の絵から黒い絵（Ｍｕｔｅ）を出すことができる。
【図面の簡単な説明】
【００１２】
【図１】実施例の画像表示装置の説明図。
【符号の説明】
【００１３】
１１  フロント映像信号処理部
１２  ＩＰ変換部
１３  ディスプレイ駆動部
１４  ディスプレイ
【図１】
2009118167.tif 000003